(57)【要約】【課題】使用者及び施工者の使い勝手を向上することができる防水性リモコン装置を提供する。【解決手段】本発明の防水性リモコン装置１は、トイレブース３内の壁面４に設置される防水性リモコン装置１であって、使用者からの入力を判定する入力ユニット１６と、便器洗浄装置２に洗浄命令を送信する送信ユニット１８と、を有する制御ユニット８と、使用者と相対する前面をカバーするように形成された前面カバー部材１２と、トイレブース３内の壁面４に固定される壁面固定部材６と、を有し、前面カバー部材１２は、制御ユニット８を自身に取り付けた状態で壁面固定部材６に着脱自在に取付けられ、且つ壁面固定部材６と嵌合して防水構造を形成する。【選択図】図６
2014196606.tif 000002
【特許請求の範囲】
【請求項１】
トイレブース内の壁面に設置される防水性リモコン装置であって、
使用者からの入力を判定する入力ユニットと、
洗浄装置に洗浄命令を送信する送信ユニットと、を有する制御ユニットと、
使用者と相対する前面をカバーするように形成された前面部材と
トイレブース内の壁面に固定される壁面固定部材と、を有し、
前記入力ユニットは、光を照射する投光部と、対象物から反射した光を受光する受光部と、からなる人体検知センサを有し、
前記前面部材は、前記人体検知センサに送受信される光を透過する透光板を備え、
前記制御ユニットと前記透光板の間に位置する防水パッキンを有し、
前記防水パッキンが前記投光部から照射された光が前記透光板を通過せずに直接前記受光部へ到達することを防止する遮断部を備えることを特徴とする防水性リモコン装置。
【請求項２】
前記防水パッキンは、前記透光板と接触し外部から前記人体検知センサへの水の浸入を防止する第一のシール部と、前記制御ユニットと前記前面部材との間を水密にシールする第二のシール部と、を有することを特徴とする請求項１に記載の防水性リモコン装置
【請求項３】
前記第一のシール部には、凸部が設けられていることを特徴とする請求項２に記載の防水性リモコン装置
【請求項４】
前記透光板は、前記前面部材に対して前方から挿入し、回転することで固定される回転係止爪を有し、
前記防水パッキンは前記回転係止爪と接触していることを特徴とする請求項１乃至３のいずれかに記載の防水性リモコン装置。
【発明の詳細な説明】
【技術分野】
【０００１】
本発明は、防水性リモコン装置に係り、特に、トイレブース内の壁面に設置される防水性リモコン装置に関する。
【背景技術】
【０００２】
従来から、壁面に設置されるリモコン装置として、壁埋め込み式の有線式リモコン装置の他に、特許文献１に示すように、壁面に取付けられたベースと、ベースに結合されるプレートカバーと、発光素子を有する送信回路とを備えたワイヤレススイッチリモコンが知られている。
パブリックトイレで使用されるリモコン装置には、清掃作業等のため防水性が要求される。従来、パブリックトイレで使用される防水性リモコン装置としては、住宅と違い使用頻度が高いので電池切れによる感知不良を回避するためにトイレブース内の壁面に設置される壁埋め込み式の有線式リモコンが知られ、また、一般的にリモコン装置に用いられる赤外線送信装置を使用した赤外線式リモコンがパブリックの使用頻度の高さにより電池切れとなりやすいため、消費電力の比較的小さい壁掛け式の電波式無線リモコンが知られている。
【先行技術文献】
【特許文献】
【０００３】
【特許文献１】特開平０３−１０２７９６号公報
【発明の概要】
【発明が解決しようとする課題】
【０００４】
有線式リモコンは、防水性を保ち、信号線を切られるといったイタズラを防止し、及び有線式リモコンの壁面から前に突出している部分にぶつかって怪我をしないようにするために、リモコン本体及び信号配線が壁内に埋め込まれるのが一般的であるが、埋め込んだリモコンの施工及びメンテナンスが面倒となるという問題があり、さらに、有線式リモコンの前出方向の寸法が大きいときには比較的薄い壁に埋め込みができなくなるといった問題があった
【０００５】
これに対し、壁掛け式の電波式の無線リモコンとして、防水性を有する構造を形成するために、使用者側の前面側の前側防水ケース部材と、リモコン後ろ側の後側防水ケース部材と、前側防水ケース部材と後側防水ケース部材との組合せによって防水リモコンケースを予め組み立てたのちにこの防水リモコンケースを壁に取付けたケースハンガに掛けることにより設置されるリモコンが知られている。しかしながら、リモコンを取付けたときの前出寸法が比較的大きくなってしまい、リモコンの前出寸法が比較的大きくなることにより、壁面から前方に突出したリモコンと接触してしまう恐れがあった。
【０００６】
そこで、本発明は、上述した従来技術の問題点を解決するためになされたものであり、使用者が手をかざして洗浄操作を行う防水性リモコン装置の前出寸法を抑制し、使用者の使い勝手を向上することができる防水性リモコン装置を提供することを目的としている。
【課題を解決するための手段】
【０００７】
上記の目的を達成するために本発明は、トイレブース内の壁面に設置される防水性リモコン装置であって、使用者からの入力を判定する入力ユニットと、洗浄装置に洗浄命令を送信する送信ユニットと、を有する制御ユニットと、使用者と相対する前面をカバーするように形成された前面部材とトイレブース内の壁面に固定される壁面固定部材と、を有し、前記入力ユニットは、光を照射する投光部と、対象物から反射した光を受光する受光部と、からなる人体検知センサを有し、前記前面部材は、前記人体検知センサに送受信される光を透過する透光板を備え、前記制御ユニットと前記透光板の間に位置する防水パッキンを有し、前記防水パッキンが前記投光部から照射された光が前記透光板を通過せずに直接前記受光部へ到達することを防止する遮断部を備えることを特徴としている。
このように構成された本発明においては、防水用のパッキンと、遮断部とを一体化することによって、リモコン全体の薄型化を行いながら、誤動作や防水性能を確保することが可能となる。
【０００８】
本発明において、好ましくは、さらに、前記防水パッキンは、前記透光板と接触し外部から前記人体検知センサへの水の浸入を防止する第一のシール部と、前記制御ユニットと前記前面部材との間を水密にシールする第二のシール部と、を有する。
このように構成された本発明においては、透光板と前面部材との間から進入した水が入力ユニットへ到達することを防止する第一のシール部と、制御ユニットへの水の浸入を防止する第二のシール部とを備えることで、水と接触すると誤動作や故障を引き起こす恐れのある部分への水の浸入を効率的に阻止することが可能となり、全体を薄型化しながら防水性能を確保することが可能となる。
【０００９】
本発明において、好ましくは、前記透光板は、前記前面部材に対して前方から挿入し、回転することで固定される回転係止爪を有し、前記防水パッキンは前記回転係止爪と接触している。
透光板にはガラス、もしくは光の透過率の高い特殊な樹脂を用いる必要がある。このような材料は概して非常に硬く、ネジ加工を行ったり、スナップフィット構造により取り付けることが出来ない。その為、従来は複数の部材で挟み込むことで固定することが行われてきた。
上記のように構成された本発明においては、従来、リモコン装置で一般的に行われてきたような透光板を挟み込む構造が不要となることからさらなる薄型化が可能となる。さらに、透光板の回転を防水パッキンによって抑制することが可能となるので、薄型であっても透光板が容易に外れることを抑制することが可能となる。
【発明の効果】
【００１０】
本発明の防水性リモコン装置によれば、使用者及び施工者の使い勝手を向上することができる。
【図面の簡単な説明】
【００１１】
【図１】本発明の第１実施形態による手かざし式センサの入力ユニット及び無線式の送信ユニットを備えた防水性リモコン装置をトイレブース内の壁面に設置した状態を示す図である。
【図２】本発明の第１実施形態による手かざし式センサの入力ユニット及び無線式の送信ユニットを備えた防水性リモコン装置を前方斜め上方から見た分解斜視図である。
【図３】本発明の第１実施形態による手かざし式センサの入力ユニット及び無線式の送信ユニットを備えた防水性リモコン装置を後方斜め上方から見た分解斜視図である。
【図４】本発明の第１実施形態による手かざし式センサの入力ユニット及び無線式の送信ユニットを備えた防水性リモコン装置における防水パッキン２８の構造部分を示す、図１のＩＶ−ＩＶ線に沿って見た部分断面図である。
【図５】本発明の第１実施形態による手かざし式センサの入力ユニット及び無線式の送信ユニットを備えた防水性リモコン装置を前面カバー部材と壁面固定部材とを嵌合した状態で後方斜め上方から見た斜視図である。
【図６】図５のＶＩ−ＶＩ線に沿って見た拡大断面図である。
【図７】図５のＶＩＩ−ＶＩＩ線に沿って見た部分拡大断面図である。
【図８】本発明の第２実施形態による手かざし式センサの入力ユニット及び有線式の送信ユニットを備えた防水性リモコン装置を前方斜め上方から見た分解斜視図である。
【図９】本発明の第２実施形態による手かざし式センサの入力ユニット及び有線式の送信ユニットを備えた防水性リモコン装置を後方斜め上方から見た分解斜視図である。
【図１０】本発明の第２実施形態による手かざし式センサの入力ユニット及び有線式の送信ユニットを備えた防水性リモコン装置において、基板、制御ユニット保護カバー及び壁面固定部材を取り外した状態を後方斜め上方から見た斜視図である。
【図１１】本発明の第２実施形態による手かざし式センサの入力ユニット及び有線式の送信ユニットを備えた防水性リモコン装置において、基板、制御ユニット保護カバー及び壁面固定部材を取り外した状態を後方から見た背面図である。
【発明を実施するための形態】
【００１２】
つぎに、添付図面により、本発明の第１実施形態による防水性リモコン装置を説明する。
まず、図１乃至図３により、本発明の第１実施形態による手かざし式センサの入力ユニット及び無線式の送信ユニットを備えた防水性リモコン装置を説明する。
図１は、本発明の第１実施形態による手かざし式センサの入力ユニット及び無線式の送信ユニットを備えた防水性リモコン装置をトイレブース内の壁面に設置した状態を示す図であり、図２は、本発明の第１実施形態による手かざし式センサの入力ユニット及び無線式の送信ユニットを備えた防水性リモコン装置を前方斜め上方から見た分解斜視図であり、図３は、本発明の第１実施形態による手かざし式センサの入力ユニット及び無線式の送信ユニットを備えた防水性リモコン装置を後方斜め上方から見た分解斜視図である。
【００１３】
図１乃至図３に示すように、符号１は防水性リモコン装置を示し、この防水性リモコン装置１は、便器洗浄装置２の設置されたトイレブース３内の壁面４に取付けられる壁面固定部材６と、この防水性リモコン装置１を制御する制御ユニット８と、制御ユニット８を保護する制御ユニット保護カバー１０と、便器洗浄装置２を使用する使用者と相対する側の前面をカバーする前面カバー部材１２と、を備えている。
防水性リモコン装置１は、制御ユニット８を自身の後面側（前面カバー部材の背面側）内部に装着した前面カバー部材１２を、壁面４に予め固定された壁面固定部材６に対し、壁面固定部材６の頂部を覆うように上方から嵌合させて壁面固定部材６の下部までの全体を覆うように嵌合させることによって、一体化された箱形状（直方体形状）に形成されるようになっている。
この防水性リモコン装置１は、単独では十分な防水構造を形成していない前面カバー部材１２を、単独では十分な防水構造を形成せず且つ壁面４に予め直付け固着された壁面固定部材６に対し、嵌合させることにより、良好な防水構造を完成させ、壁面に組みつけられた状態において防水構造を達成している防水性リモコン装置である。
【００１４】
壁面固定部材６は、トイレブース３内の壁面４にねじ留め（図示せず）によって予め取付けられて固定され、壁掛けの防水性リモコン装置１を壁面に掛けるように構成されている。また、壁面固定部材６は、前面カバー部材１２と、嵌合することにより、一体化した壁掛け防水性リモコン装置を形成するように構成されている。
壁面固定部材６は、壁面に沿った平板状の壁面固定板部６ａと、壁面固定板部の上部に形成された背面側受け部６ｂと、この背面側受け部６ｂ近傍から前方にほぼ水平方向に延びる前出頂面部６ｃと、壁面固定板部６ａの底辺から前方にほぼ水平方向に延びる前出底面部６ｄと、壁面固定板部６ａの右側辺から前方に延びる前出右側面部６ｅと、壁面固定板部６ａの左側辺から前方に延びる前出左側面部６ｆとを備えている。
壁面固定板部６ａは、ねじによりトイレブース３内の壁面４にねじ留め固定されるように形成され、電源配線及び信号配線等が壁面４裏の電源等から制御ユニット８まで有線接続される場合に、これらの配線を通すことができるような配線開口６ｋを形成している。
前出底面部６ｄは、前面カバー部材１２の下方側から挿入されるネジ１４によりネジ留め固定されるように形成されている。
【００１５】
制御ユニット８は、使用者の検出信号及び操作信号等の入力を受ける入力ユニット１６と、便器洗浄装置２に洗浄開始命令を送信する送信ユニット１８と、入力ユニット１６及び送信ユニット１８が接続されている基板２０とを備えている。
入力ユニット１６は、使用者の手指等が前方にかざされていることを赤外線を使用して検知する赤外線検知ユニットであり、使用者の手指等を検出するために赤外線を投光する投光部２２と、赤外線を受光する受光部２４と、円板形状に形成され且つ赤外線の光を透過させる透光板２６と、意図する方向に進む赤外線光以外の赤外線光を遮光し、水密にシールする防水パッキン２８と、を備えている。
透光板２６は回転係止爪２７を有し、前面カバー部材１２に形成された挿入穴２９に回転係止爪２７を挿入した後、透光板２６を回転することで前面カバー部材１２に係止される。その後、先述の防水パッキン２８を間に挟みこんだ状態で制御ユニット８や制御ユニット保護カバー１０と一体的に固定することによって、回転係止爪２７と防水パッキン２８が接触する状態となり、摩擦力により透光板２６の回転を抑制する。これによって、透光板２６が脱落することを抑制することが出来る。
【００１６】
ここで、図４により、本発明の第１実施形態による手かざし式センサの入力ユニット及び無線式の送信ユニットを備えた防水性リモコン装置における防水パッキン２８の構造を詳細に説明する。
図４は、本発明の第１実施形態による手かざし式センサの入力ユニット及び無線式の送信ユニットを備えた防水性リモコン装置における防水パッキンの構造部分を示す、図１のＩＶ−ＩＶ線に沿って見た部分断面図である。
防水パッキン２８は、その上部が透光板２６に接続され、その下部が基板２０に接続され、外周形状がほぼ円形に形成され且つ、基板２０上に筒状に立ち上がるように配置され、その内側領域が複数の領域に区分されて形成されている。例えば、防水パッキン２８は、投光部２２から透光板２６まで赤外線光を概ね直進させるように投光部２２を収容する投光通路２８ａを形成し、透光板２６から受光部２４まで赤外線光を概ね直進させるように受光部２４を収容する受光通路２８ｂを形成している。そしてその間をさえぎる遮断部２８ｃを備えている。従って、防水パッキン２８は、投光部２２から投光された赤外線の光を、透光板２６を通過させることなく受光部２４で直接受光させないような遮光構造を形成している。また、透光板２６付近から中に侵入しようとする水を、防水パッキン２８と、透光板２６との間でシールすることができる。（第一のシール部）このとき、防水パッキン２８の投光板２６と接触する箇所には凸部２８ｄが設けられている。これにより、防水パッキン２８６や前面カバー部材１２、投光板２６といった部材に交差によるばらつきが生じた際にも確実にシールを行うことが可能となっている。さらに、投光部２２は、基板２０上に配置され、投光部２２と防水パッキン２８との間が防水されるようにシールされるようになっている。（第二のシール部）ここでも同様に防水パッキン２８の前面カバー部材１２と接触する箇所には凸部２８ｅが設けられている。このように構成された防水パッキン２８によって、防水性の高い構造を有する防水性リモコン装置１を提供することができる。
このように、防水パッキン２８を、透光板２６と、基板２０の間に設置することにより、遮光と防水を兼ね備えた支持構造を実現することができる。
【００１７】
次に、送信ユニット１８は、洗浄開始信号を無線電波により送信する電波送信装置３０を備える。この電波送信装置３０により発信された無線電波信号を便器洗浄装置２の制御部（図示せず）の受信装置（図示せず）で受信し、便器洗浄を行うようになっている。電波送信装置３０は、消費電力が非常に少ないため、電波送信装置３０の代わりに赤外線光送信装置を採用した場合に必要となる電力を供給する電池の取替え頻度と比べて、電波送信装置３０に必要となる電力を供給する電池３２の取替え頻度を少なくすることができる。また、電波送信装置３０は、電力容量の小さなボタン電池を採用することが可能となり、比較的大きな乾電池や専用の電池を利用する必要がなくなり、防水性リモコン装置１をより薄型化することが可能となる。
電波送信装置３０は、入力ユニット１６よりも上方に所定距離離間して取付けられている。電波送信装置３０が、使用者が手指等を入力ユニット１６前方にかざしているときに、その手指等が電波送信装置３０の前方にかからないような所定距離だけ入力ユニット１６から離間されているので、使用者が手指等を入力ユニット１６前方に（入力ユニット１６が壁面４に取付けられている場合の前側に）かざしているとき、電波送信装置３０から送信される電波が使用者が手指等によって妨げられ、通信に不具合が生じることを抑制することができる。
【００１８】
基板２０は、基板２０上に入力ユニット１６及び送信ユニット１８の各部品等、及び電池３２などを接続した状態で、前面カバー部材１２の後面側空間内に挿入されて取付けられている。防水性リモコン装置１と、便器洗浄装置２及び／又は外部電源（図示せず）等とを有線式の接続方法により接続する場合には、後述するような電源配線及び信号配線等を基板に接続するようになっている。基板２０上には、電池３２が電極上に配置され、電池交換のメンテナンスが必要な場合には、消耗した電池を基板に接続された電極から取り外して新しい電池と取り替えるようになっている。また、電池３２としては比較的サイズの小さなボタン電池を採用している。
【００１９】
制御ユニット保護カバー１０は、制御ユニット８の基板２０に取付けられ、前面カバー部材１２を壁面固定部材６から取り外した際に、前面カバー部材１２に取付けられている基板２０がむき出しになり、誤操作されたり、いたずらされることを防ぐように基板２０を保護している。逆に、制御ユニット保護カバー１０は、施工者等が基板２０のメンテナンス調整等を行うことが必要な部分については切り欠き開口１０ａを形成しており、施工者等がその切り欠き開口１０ａを通して基板２０の調整等を行うことができるようになっている。この制御ユニット保護カバー１０は、制御ユニット８の基板２０とともに、前面カバー部材１２の後面側空間内に挿入されて前面カバー部材１２に取付けられている。
このように、制御ユニット保護カバー１０は、前面カバー部材１２と組合せて防水構造を形成するように設けられた従来の壁面カバー部材部材とは異なる部材である。
【００２０】
次に、図２乃至図７により、本発明の第１実施形態による手かざし式センサの入力ユニット及び無線式の送信ユニットを備えた防水性リモコン装置における前面カバー部材１２の構造についてより詳細に説明する。
図５は、本発明の第１実施形態による手かざし式センサの入力ユニット及び無線式の送信ユニットを備えた防水性リモコン装置を前面カバー部材と壁面固定部材とを嵌合した状態で後方斜め上方から見た斜視図であり、図６は、図５のＶＩ−ＶＩ線に沿って見た拡大断面図であり、図７は、図５のＶＩＩ−ＶＩＩ線に沿って見た部分拡大断面図である。
前面カバー部材１２は、自身の内部に壁面固定部材６、制御ユニット８及び制御ユニット保護カバー１０を収容しながら奥行き寸法（すなわち壁からの前出寸法）をなるべく小さく抑えるような薄型の形状に形成されている。前面カバー部材１２は、自身の内部に壁面固定部材６の大部分を収容できるので、防水性リモコン装置１全体の前出寸法を抑えることができる。
この前面カバー部材１２は、壁面固定部材６全体に対して使用者側の前面を覆う前面覆部１２ａと、壁面固定部材６の前出頂面部６ｃ及び背面側受け部６ｂを覆うようにほぼ水平方向後方に張り出した頂面覆部１２ｂと、前出底面部６ｄを下方から覆うように形成された底面覆部１２ｃと、前出右側面部６ｅを覆う右側面覆部１２ｄと、前出左側面部６ｆを覆う左側面覆部１２ｅとを備えている。
前面覆部１２ａは、ほぼ長方形に形成され、中央近傍に入力ユニット１６の防水パッキン２８を埋め込むことができる円形開口部１２ｆを形成し、頂面覆部１２ｂは、前面覆部１２ａの背面側の頂部辺から後方に水平に突出して形成され、底面覆部１２ｃは、前面覆部１２ａの背面側の底部辺から後方に水平に突出して形成され、右側面覆部１２ｄは、前面覆部１２ａの背面側の右側辺から後方に水平に突出して形成され、左側面覆部１２ｅは、前面覆部１２ａの背面側の左側辺から後方に水平に突出して形成されている。
このように、前面覆部１２ａの背面側の４辺から頂面覆部１２ｂ、底面覆部１２ｃ、右側面覆部１２ｄ及び左側面覆部１２ｅが後方に張り出すように形成されているので、前面カバー部材１２は、背面側に開放する凹形状に形成され、その背面側に基板２０、電池３２及び配線等を取付けることができる取付け空間１２ｇを形成している。従って、この取付け空間１２ｇ内に、壁面固定部材６の壁面固定板部６ａ、前出頂面部６ｃ、前出底面部６ｄ、前出右側面部６ｅ及び前出左側面部６ｆが、外周内側に嵌まり込むように配置できるようになっている。
【００２１】
前面カバー部材１２は、壁面固定部材６に着脱自在に形成されており、前面カバー部材１２が壁面固定部材６の頂部を覆うように上方から嵌合された後、前面カバー部材１２と壁面固定部材６とは、ネジ留め固定される。
先ず、前面カバー部材１２の底面覆部１２ｃは、その中央部近傍において、ネジ固定部１２ｈを形成しており、このネジ固定部１２ｈにおいてネジ１４を下から上に貫通させて壁面固定部材６の前出底面部６ｄとネジ留め固定できるようになっている。底面覆部１２ｃのネジ固定部１２ｈに取り付けられるネジ１４は、防水性リモコン装置１の正面方向、上方向及び／又は左右方向から見えにくく配置されているので、いたずらなどでネジ１４をはずされてしまう可能性を低減でき、また、防水性リモコン装置１のパブリック環境において配置された場合の美観がよくなり、意匠性に優れている。さらに、ネジ１４によって底面の１箇所を固定すればよいので、仮にネジ１４を両側面においてネジ留めする場合のようにネジ留め箇所が２箇所必要になる場合と比べて、取付け者等の施工作業が軽減される。
【００２２】
次に、図５乃至図７により、本発明の第１実施形態による手かざし式センサの入力ユニット及び無線式の送信ユニットを備えた防水性リモコン装置における、前面カバー部材と、壁面固定部材の背面側受け部とを嵌合した状態において形成される防水構造について説明する。
先ず、壁面固定部材６の背面側受け部６ｂ及び前面カバー部材１２の頂面覆部１２ｂについてさらに詳細に説明する。
壁面固定部材６の背面側受け部６ｂには、壁面固定部材６の前出頂面部６ｃと壁面固定板部６ａとの間において、前出頂面部６ｃに接続され且つ前出頂面部６ｃの後方から立ち下がる第１立下り部６ｇと、第１立下り部６ｇから横方向に延びる平坦部６ｈと、平坦部６ｈの後方から立ち下がる第２立下り部６ｉと、第２立下り部６ｉから斜め下方に傾斜して延び且つ壁面固定板部に接続する傾斜部６ｊとが形成されている。
前面カバー部材１２の頂面覆部１２ｂは、ほぼ水平方向に後方に延びる上面壁１２ｉと、この上面壁１２ｉの後端辺から垂下する最も背面側の壁を形成する後端垂下壁１２ｊとを備える。
さらに、後端垂下壁１２ｊは、後端垂下壁１２ｊの左右両端近傍に前面カバー部材１２を壁面固定部材６上に嵌合するように位置決めさせる位置決め部１２ｋを形成し、後端垂下壁１２ｊの位置決め部１２ｋより左右方向内側に水の侵入を抑制させる空間を形成する侵入抑制部１２ｌを形成している。
前面カバー部材１２の位置決め部１２ｋと壁面固定部材６の背面側受け部６ｂの第２立下り部６ｉとの間には、水平方向に見て、比較的狭い幅Ｗ１の隙間空間を有する幅狭部１３が形成されている。
前面カバー部材１２の侵入抑制部１２ｌと第１立下り部６ｇとの間には、水平方向に見て、位置決め部１２ｋと第２立下り部６ｉとの間の幅Ｗ１よりも広い幅Ｗ２の水侵入抑制空間を有する幅広部１５が形成されている。この幅広部１５の水侵入抑制空間が、比較的広い幅Ｗ２の空間を形成するので、毛細管現象による水の内部への浸入がしにくい比較的広い空間が形成されており、矢印Ａに示すような、毛細管現象による水の内部への浸入の流れの発生を抑制するようになっている。
従って、水が壁面４に沿って、前面カバー部材１２及び壁面固定部材６の嵌合している状態において、前面カバー部材１２と壁面固定部材６との間に形成された隙間に達した場合にも、侵入抑制部１２ｌが、防水性リモコン装置１内部への水の浸入を抑制し、より高い防水性を有するようになっている。このとき、位置決め部１２ｋ付近で毛細管現象が発生して外部から水が浸入した場合であっても進入抑制部１２ｌよりも防水性リモコン装置１内部への水の浸入を防止するために、進入抑制部１２ｌは位置決め部１２ｋよりも防水性リモコン装置１の内側の隙間空間を形成するように設けることが好ましい。
防水性リモコン装置１がパブリックトイレで使用されるとき、防水性リモコン装置１が頻繁にトイレブースの清掃作業が行われ濡れることも多く、またパブリック環境において使用者も多いため何らかの要因で濡れるような場合にも比較的高い防水性により自身内部への水の浸入を抑制できることが、防水性リモコン装置１の洗浄開始機能を維持する上で有用となっている。
【００２３】
次に、図１乃至図７を参照して、本発明の第１実施形態による防水性リモコン装置における前面カバー部材を壁面固定部材に取付ける取付け動作について説明する。
防水性リモコン装置１を最初に設置する施工工事の際に、壁面固定部材６が、公衆トイレなどの、パブリックトイレ空間、各種洗浄装置の設置空間、トイレブース３等の壁面４に固定されている。
次に、防水性リモコン装置１の施工工事をする者、防水性リモコン装置１の設置をする者、防水性リモコン装置１をメンテナンス管理する者等（本発明において「施工者」という用語の意義には、最初の施工工事者の他、最初の施工工事後に、清掃、調整、工事等のさまざまな目的で、前面カバー部材１２を壁面固定部材６に取付け又は取外し等する者を広義に含んでいる）は、前面カバー部材１２を、トイレブース３等内の壁面４に固定されている壁面固定部材６に、壁面固定部材６を覆うように取付ける。
ここで、前面カバー部材１２は、予め制御ユニット８及び制御ユニット保護カバー１０が組み込まれて一体の部材に組み立てられている。
【００２４】
施工者は、前面カバー部材１２を、壁面固定部材６の上方から前方及び下方を覆うように、壁面固定部材６に取付ける。より具体的には、施工者は、前面カバー部材１２の頂面覆部１２ｂの後端垂下壁１２ｊを、上方から壁面固定部材６の背面側受け部６ｂに嵌合させ、さらに、前面カバー部材１２の前面覆部１２ａを壁面固定部材６の前方側を覆うように位置決めさせ、前面カバー部材１２の底面覆部１２ｃを壁面固定部材６の前出底面部６ｄの下面に合致させる。
施工者は、前面カバー部材１２を壁面固定部材６に取り付けた状態で、前面カバー部材１２の底面からネジ止めすることで、ネジ１４を目立たせないようにして防水性リモコン装置１の意匠性に優れさせ且つ１箇所のネジ止めで確実に固定し、両者を固定する。
このように、施工者は、前面カバー部材１２を、壁面固定部材６に取り付けると、前面カバー部材１２及び壁面固定部材６が一体化されて、防水性リモコン装置１が完成及び設置された状態となる。防水性リモコン装置１が設置された状態では、防水性リモコン装置１全体のトイレブース３内の壁面４からの前出寸法は、概ね前面カバー部材１２の前後方向の長さとなっており、従来の防水性リモコン装置を構成する前面ケース部材、壁面側ケース部材、及びリモコンケースハンガーのうち壁面側ケース部材を省略するように構成されているので、前面カバー部材１２を壁面固定部材６に取り付けた状態における防水性リモコン装置１の前出寸法が抑制されている。
【００２５】
次に、図１乃至図７を参照して、本発明の第１実施形態による防水性リモコン装置における前面カバー部材を壁面固定部材から取り外す取外し動作及びメンテナンス動作について説明する。
施工者は、前面カバー部材１２の底面覆部１２ｃからネジ１４を取外し、次いで前面カバー部材１２を壁面固定部材６の下方から前方及び上方に向かって取り外す。
施工者が、前面カバー部材１２を壁面固定部材６から取り外した状態では、施工者の手元に前面カバー部材１２及び前面カバー部材１２に取付けられている制御ユニット８等があり、トイレブース３内の壁面４には壁面固定部材６が固定されたままである。
施工者は、これら前面カバー部材１２及び前面カバー部材１２に取付けられている制御ユニット８等を手元で確認しながらメンテナンス（機器の不具合の調整や設定変更など）を簡単に行うことができ、さらに定期的に発生する電池交換についても、電池３２が前面カバー部材１２側に取付けられているので、施工者は、手元で電池３２の交換を容易に行うことが出来る。
【００２６】
次に、図１乃至図７を参照して、本発明の第１実施形態による防水性リモコン装置１における前面カバー部材１２を壁面固定部材６に取付けた状態において、便器を使用する使用者が防水性リモコン装置１を使用して便器洗浄を開始させる動作について説明する。
便器洗浄を行おうとする使用者が、防水性リモコン装置１の入力ユニット１６における赤外線を投光する投光部２２の前方且つ透光板２６の前方空間に手指をかざすと、入力ユニット１６の受光部２４は赤外線を受光し、入力ユニット１６を有する制御ユニット８は使用者の便器洗浄を行う意図を判断して、制御ユニット８の送信ユニット１８の電波送信装置３０によって便器洗浄装置２に洗浄開始命令を送信する。
便器洗浄装置２の制御部（図示せず）は、洗浄開始命令を受信すると、便器洗浄装置２の便器洗浄動作を開始させる。
【００２７】
次に、上述した本発明の第１実施形態による防水性リモコン装置の効果を説明する。
上述した本発明の第１実施形態による防水性リモコン装置によれば、前面カバー部材１２が壁面固定部材６と嵌合して防水構造を形成する防水性リモコン装置１を完成させ、壁面固定部材６が、従来の後側防水ケース部材とリモコンハンガとを一体化した機能を有し、従来の下防水ケース部材を省略するように構成されているので、前面カバー部材１２を壁面固定部材６に取付けた状態における防水性リモコン装置１の前出寸法を抑制することができ、使用者が壁面４から前出する防水性リモコン装置１により怪我をする危険性を抑制して、使用者の使い勝手を向上することができる。
例えば、また、前面カバー部材１２は、制御ユニット８を自身に取り付けた状態で壁面固定部材６に着脱自在に取付けられるので、前面カバー部材１２及びこれに取り付けられた制御ユニット８を壁面固定部材６から取り外すことによって、制御ユニット８が手元側に来ることになり、施工者が簡単にメンテナンスを行うことができ、施工者の使い勝手を向上することができる。
【００２８】
さらに、第１実施形態による防水性リモコン装置によれば、制御ユニット保護カバー１０が制御ユニット８を保護することができ、前面カバー部材１２及びこれに取り付けられた制御ユニット８を壁面固定部材６から取り外すことによって、制御ユニット８が手元側に来る場合に、使用者及び施工者が、制御ユニット８を誤操作すること、及び不注意で制御ユニット８の例えば基板２０に触れること及び水滴を飛散させ付着させることによる故障を生じさせることを防ぎ、適切なメンテナンス作業を行うことができ、使用者及び施工者の使い勝手を向上することができる。
【００２９】
さらに、第１実施形態による防水性リモコン装置によれば、前面カバー部材１２が、制御ユニット８を自身に取り付けた状態で壁面固定部材６に着脱自在に取付けられるので、前面カバー部材１２及びこれに取り付けられた制御ユニット８を壁面固定部材６から取り外すことによって、電池３２を備えた制御ユニット８が手元側に来ることになり、使用者及び施工者が簡単に電池３２の交換を行うことができ、使用者及び施工者の使い勝手を向上することができる。
【００３０】
さらに、第１実施形態による防水性リモコン装置によれば、前面カバー部材１２が、壁面固定部材６の頂部の前出頂面部６ｃを、前面側に配置された前面覆部１２ａと、この前面覆部１２ａの頂部からほぼ水平方向後方へ張り出した頂面覆部１２ｂと、この頂面覆部１２ｂの後端部から壁面４と壁面固定部材６の前出頂面部６ｃ及び背面側受け部６ｂとの間を垂下する後端垂下壁１２ｊとで覆うことによって、前面カバー部材１２が壁面固定部材６を上方から覆うように嵌合して防水しやすい構造を形成することができ、使用者及び施工者の使い勝手を向上することができる。
【００３１】
さらに、第１実施形態による防水性リモコン装置によれば、前面カバー部材１２と壁面固定部材６とが嵌合するとき、壁面固定部材６の背面側受け部６ｂと後端垂下壁１２ｊとの間の幅が比較的狭く形成された幅狭部１３が、前面カバー部材１２と壁面固定部材６との嵌合を位置決めすることができ、壁面固定部材６の背面側受け部６ｂと後端垂下壁１２ｊとの間の幅が幅狭部１３より広く形成された幅広部１５が、背面側受け部６ｂと後端垂下壁１２ｊとの間に幅狭部１３より広い空間を形成することによって、水が壁面４から内部へ毛細管現象によって侵入することを抑制することができるので、より高い防水性能を有する防水性リモコン装置を提供することができ、使用者及び施工者の使い勝手を向上することができる。
【００３２】
さらに、第１実施形態による防水性リモコン装置によれば、前面カバー部材１２を前面カバー部材１２の底面覆部１２ｃのネジ固定部１２ｈから壁面固定部材６の前出底面部６ｄにネジ止めして固定することによって、確実に両者を固定することができると同時に、パブリック空間での防水性リモコン装置１自身、前面カバー部材１２及び前面カバー部材１２によりカバーされている内部部品等の盗難を抑制することができる。
例えば、また、前面カバー部材１２がその底面覆部１２ｃのネジ固定部１２ｈからネジ止めされる場合は、その上面からネジ止めされる場合と比較してネジ止めが目立ちにくく、いたずら目的でネジ止めを解除される可能性を低減でき、且つ意匠性に優れ、さらにその両側面からネジ止めされる場合と比較して、一箇所のネジ止めで確実に固定することができ、施工者の作業性がよく且つネジ止め個数が少ないので経済性にも優れている。
【００３３】
さらに、第１実施形態による防水性リモコン装置によれば、送信ユニット１８が電波送信装置３０であるので、送信ユニット１８が赤外線送信装置である場合と比べて、電波送信装置３０を備える制御ユニット８における消費電力を抑制することができ、制御ユニット８に電気を供給する電池の寿命を延ばすことができる。
また、例えば、入力ユニット１６に赤外線センサを採用する場合には、赤外線センサを利用することで防水性リモコン装置１に触れることなく便器洗浄を行うことが可能となるが、使用者が入力ユニット１６の投光部２２の前方に手をかざしている場合でも、電波送信装置３０が入力ユニット１６の上方に離間して配置されているので、使用者の手指等による電波の送信を妨げにくくなり、便器洗浄装置２に洗浄命令を安定して送信することができる。
【００３４】
次に、図１２図８及び図１４により、本発明の第２実施形態による防水性リモコン装置２０１を説明する。
防水性リモコン装置は、パブリックの現場において、例えば、使用頻度が非常に高い場所に設置されるような場合には、電池交換などのメンテナンスの手間を極力減らすため、電源配線及び信号配線等を壁内から直接リモコン内まで配線するような有線式の配線を有する場合がある。本発明の第２実施形態は、本発明による手かざし式センサの入力ユニット及び有線式の送信ユニットを備えた防水性リモコン装置の例である。
図１２図８は、本発明の第２実施形態による手かざし式センサの入力ユニット及び有線式の送信ユニットを備えた防水性リモコン装置を前方斜め上方から見た分解斜視図であり、図９は、本発明の第２実施形態による手かざし式センサの入力ユニット及び有線式の送信ユニットを備えた防水性リモコン装置を後方斜め上方から見た分解斜視図であり、図１０は、本発明の第２実施形態による手かざし式センサの入力ユニット及び有線式の送信ユニットを備えた防水性リモコン装置において、基板、制御ユニット保護カバー及び壁面固定部材を取り外した状態を後方斜め上方から見た斜視図であり、図１４は、本発明の第２実施形態による手かざし式センサの入力ユニット及び有線式の送信ユニットを備えた防水性リモコン装置において、基板、制御ユニット保護カバー及び壁面固定部材を取り外した状態を後方から見た背面図である。
第２実施形態による防水性リモコン装置は、上述した第１実施形態による防水性リモコン装置と構造がほぼ同じであるため、ここでは、本発明の第２実施形態の第１実施形態とは異なる点のみを説明し、同様な部分については図面に同じ参照符号を付して説明を省略する。
【００３５】
図１２図８及び図９に示すように、第２実施形態による防水性リモコン装置２０１は、便器洗浄装置２の設置されたトイレブース３内の壁面４に取付けられる壁面固定部材６と、この防水性リモコン装置２０１を制御する制御ユニット２０８と、制御ユニット２０８を保護する制御ユニット保護カバー１０と、使用者と相対する側の前面をカバーする前面カバー部材１２と、を備えている。
【００３６】
制御ユニット２０８は、使用者の検出信号及び操作信号等の入力を受ける入力ユニット１６と、便器洗浄装置２に洗浄開始命令を送信する送信ユニット２１８と、入力ユニット１６及び送信ユニット２１８が接続されている基板２２０とを備えている。
送信ユニット２１８は、洗浄開始信号を有線信号配線により送信する有線信号送信装置２３０と、有線信号を送信できる信号配線部（ハーネス）２３８とを備えるが、この信号配線部２３８には、便器洗浄開始等の信号を送受信できる信号配線と、電気を外部電源（図示せず）から壁面４を通して防水性リモコン装置２０１内の制御ユニット２０８の基板２２０まで供給する電気配線とが含まれている。
第２実施形態による防水性リモコン装置２０１では、この有線信号送信装置２３０により発信された有線信号を便器洗浄装置２の受信装置（図示せず）で受信し、便器洗浄を行うようになっている。有線信号送信装置２３０には、外部電源からの電気が電気配線から提供されるので、電池の取替えの手間をなくすことができている。
【００３７】
図１２図８乃至図１４に示すように、前面カバー部材１２の後面側空間内に挿入されて取付けられている基板２２０には、信号配線部２３８の一端が、ハンダにより接続されている。このとき、コネクタなどによる接続ではなくハンダによる接続を行うことで接続部を省スペース化でき、全体として薄型化することが可能となる。この信号配線部２３８の他端は、防水性リモコン装置２０１の設置された壁面４の奥側に延び且つ壁面４の裏側から便器洗浄装置２又は外部電源等にそれぞれ接続されている。図１０及び図１４に示すように、この信号配線部２３８は、その基板２２０に接続される基板接続部２３８ａと、前面カバー部材１２の背面側に突出するように設置されたリブ２４０と円形部２４２との間に形成された幅狭経路部２４４を通る幅狭部２３８ｂと、防水性リモコン装置２０１の設置された壁面４の奥側に向かって延びる立ち上がり部２３８ｃとを有している。
この信号配線部２３８には、幅狭部２３８ｂの基板接続部２３８ａ側に、係止ロック部２４６が取付けられている。この係止ロック部２４６は、プラスチック製のバンドを巻いて止めた簡易な構造により形成され、且つ信号配線部に２３８に固定されている。
【００３８】
本発明の第２実施形態による有線式の送信ユニットを備えた防水性リモコン装置２０１においては、前面カバー部材１２を壁面固定部材６に取付ける場合及び／又は前面カバー部材１２を壁面固定部材６から取り外す場合に、信号配線部２３８が前面カバー部材１２に取り付けられている制御ユニット２０８まで有線で接続されているので、使用者が取り外した状態の前面カバー部材１２及び制御ユニット２０８等から壁面固定部材６及び壁面４まで線が延びた状態となる。
このような有線タイプの防水性リモコン装置２０１においては、施工の際に、信号配線部２３８を配線施工した後に、防水性リモコン装置２０１のスイッチ等の部品を取り付ける場合等があり、その際、施工者が防水性リモコン装置２０１を誤って落としてしまったりする場合に、前面カバー部材１２の自重により、信号配線部２３８が壁面４側から一気に引っ張られて、荷重が基板接続部２３８ａにかかり、基板接続部２３８ａを基板２２０に接続しているハンダが外れてしまう不都合があった。
従って、信号配線部２３８が一気に引っ張られるような場合にも、信号配線部２３８の基板接続部２３８ａに大きな荷重がかかることを抑制することが必要となる。
そこで、本発明の第２実施形態においては、信号配線部２３８には、幅狭部２３８ｂの基板接続部２３８ａ側に、係止ロック部２４６が固定され、信号配線部２３８が壁面４側から一気に引っ張られるような場合にも、信号配線部２３８に取り付けられた係止ロック部２４６が、前面カバー部材１２に形成されたリブ２４０と円形部２４２との間に形成された幅狭経路部２４４に引っかかり（及び／又はリブ２４０、円形部２４２等に引っかかり）、係止ロック部２４６が取り付けられた部分から基板接続部２３８ａ側の部分が、引張り荷重を受けて信号配線部２３８の基板接続部２３８ａを基板２２０に接続しているハンダが外れてしまうことを防ぐことが出来る。また、係止ロック部２４６が簡易な構造により形成されているので、本発明の第２実施形態によるような薄型の防水性リモコン装置２０１においても、信号配線部２３８の引張り荷重に強い係止ロック部２４６の構造を形成することができる。
【００３９】
次に、上述した本発明の第２実施形態による防水性リモコン装置２０１の効果を説明する。
上述した本発明の第２実施形態による防水性リモコン装置２０１によれば、上述した本発明の第１実施形態及び第２実施形態による防水性リモコン装置の効果と同様に、前面カバー部材１２を壁面固定部材６に取付けた状態における防水性リモコン装置２０１の前出寸法を抑制することができ、使用者が壁面４から前出する防水性リモコン装置２０１により怪我をする危険性を抑制して、使用者の使い勝手を向上することができる。
例えば、また、上述した本発明の第１実施形態及び第２実施形態による防水性リモコン装置の効果と同様に、前面カバー部材１２は、制御ユニット２０８を自身に取り付けた状態で壁面固定部材６に着脱自在に取付けられるので、前面カバー部材１２及びこれに取り付けられた制御ユニット２０８を壁面固定部材６から取り外すことによって、制御ユニット２０８が手元側に来ることになり、施工者等が簡単にメンテナンスを行うことができ、施工者の使い勝手を向上することができる。
【００４０】
さらに、第２実施形態による防水性リモコン装置２０１によれば、上述した本発明の第１実施形態及び第２実施形態による防水性リモコン装置の効果と同様に、制御ユニット保護カバー１０が制御ユニット２０８を保護することができ、前面カバー部材１２及びこれに取り付けられた制御ユニット２０８を壁面固定部材６から取り外すことによって、制御ユニット２０８が手元側に来る場合に、使用者及び施工者が、制御ユニット２０８を誤操作すること、及び不注意で制御ユニット２０８の例えば基板２２０に触れること及び水滴を飛散させ付着させることによる故障を生じさせることを防ぎ、適切なメンテナンス作業を行うことができ、また、例えば、制御ユニット２０８をいたずらすることを防ぎ、使用者及び施工者の使い勝手を向上することができる。
【００４１】
さらに、第２実施形態による防水性リモコン装置２０１によれば、上述した本発明の第１実施形態及び第２実施形態による防水性リモコン装置の効果と同様に、前面カバー部材１２が、壁面固定部材６の頂部の前出頂面部６ｃを、前面側に配置された前面覆部１２ａと、この前面覆部１２ａの頂部からほぼ水平方向後方へ張り出した頂面覆部１２ｂと、この頂面覆部１２ｂの後端部から壁面４と壁面固定部材６の前出頂面部６ｃ及び背面側受け部６ｂとの間を垂下する後端垂下壁１２ｊとで覆うことによって、前面カバー部材１２が壁面固定部材６を上方から覆うように嵌合して防水しやすい構造を形成することができ、使用者及び施工者の使い勝手を向上することができる。
【００４２】
さらに、第２実施形態による防水性リモコン装置２０１によれば、上述した本発明の第１実施形態及び第２実施形態による防水性リモコン装置の効果と同様に、前面カバー部材１２と壁面固定部材６とが嵌合するとき、壁面固定部材６の背面側受け部６ｂと後端垂下壁１２ｊとの間の幅が比較的狭く形成された幅狭部１３が、前面カバー部材１２と壁面固定部材６との嵌合を位置決めすることができ、壁面固定部材６の背面側受け部６ｂと後端垂下壁１２ｊとの間の幅が幅狭部１３より広く形成された幅広部１５が、背面側受け部６ｂと後端垂下壁１２ｊとの間に幅狭部１３より広い空間を形成することによって、水が壁面４から内部へ毛細管現象によって侵入することを抑制することができるので、より高い防水性能を有する防水性リモコン装置を提供することができ、使用者及び施工者の使い勝手を向上することができる。
【００４３】
さらに、第２実施形態による防水性リモコン装置２０１によれば、上述した本発明の第１実施形態及び第２実施形態による防水性リモコン装置の効果と同様に、前面カバー部材１２を前面カバー部材１２の底面覆部１２ｃのネジ固定部１２ｈから壁面固定部材６の前出底面部６ｄにネジ止めして固定することによって、確実に両者を固定することができると同時に、パブリック空間での防水性リモコン装置２０１自身、前面カバー部材１２及び前面カバー部材１２によりカバーされている内部部品等の盗難を抑制することができる。
例えば、また、上述した本発明の第１実施形態及び第２実施形態による防水性リモコン装置の効果と同様に、前面カバー部材１２がその底面覆部１２ｃのネジ固定部１２ｈからネジ止めされる場合は、その上面からネジ止めされる場合と比較してネジ止めが目立ちにくく、いたずらなどでネジ止めを解除されてしまう可能性を低減でき、且つ意匠性に優れ、さらにその両側面からネジ止めされる場合と比較して、一箇所のネジ止めで確実に固定することができ、施工者の作業性がよく且つネジ止め個数が少ないので経済性にも優れている。
【符号の説明】
【００４４】
１        防水性リモコン装置
２        便器洗浄装置
３        トイレブース
４        壁面
６        壁面固定部材
６ａ      壁面固定板部
６ｂ      背面側受け部
６ｃ      前出頂面部
８        制御ユニット
１０      制御ユニット保護カバー
１２      前面カバー部材
１２ａ    前面覆部
１２ｂ    頂面覆部
１２ｈ    ネジ固定部
１２ｉ    上面壁
１２ｊ    後端垂下壁
１２ｌ    侵入抑制部
１３      幅狭部
１４      ネジ
１５      幅広部
１６      入力ユニット
１８      送信ユニット
２０      基板
２２      投光部
２４      受光部
２６      透光板
２７      回転係止爪
２８      防水パッキン
２９      挿入穴
３０      電波送信装置
３２      電池
１０１    防水性リモコン装置
１０８    制御ユニット
１１６    入力ユニット
１２０    基板
１２８    防水パッキン
１３４    ボタン部
１３６    タクトスイッチ
２０１    防水性リモコン装置
２０８    制御ユニット
２１８    送信ユニット
２２０    基板
２３０    有線信号送信装置
２３８    信号配線部
２４６    係止ロック部
３０１    防水性リモコン装置
３０８    制御ユニット
３２０    基板
Ａ        矢印
ｌ１      距離
ｌ２      距離
Ｗ１      幅
Ｗ２      幅
【図１】
2014196606.tif 000003
【図２】
2014196606.tif 000004
【図３】
2014196606.tif 000005
【図４】
2014196606.tif 000006
【図５】
2014196606.tif 000007
【図６】
2014196606.tif 000008
【図７】
2014196606.tif 000009
【図８】
2014196606.tif 000010
【図９】
2014196606.tif 000011
【図１０】
2014196606.tif 000012
【図１１】
2014196606.tif 000013